(57)【特許請求の範囲】
【請求項１】
１本の引き紐の中間部分に所定形状の挿通孔を有する摺動係止具を摺動可能に挿通し、該引き紐の先端部にペットの首輪又は胴輪に連結可能な第１フックを結着すると共に、該引き紐の後端部に第２フックを結着し、前記摺動係止具に該第２フックが係止可能な係止孔を有し、前記摺動係止具と前記第１フック又は前記第２フックとの間の前記引き紐に環状体を結着し、該環状体は前記フック及び前記引き紐が挿通可能で且つ前記摺動係止具が係止可能の形状に形成されていることを特徴とするペットの引き紐。
【請求項２】
１本の引き紐の中間部分に所定形状の挿通孔を有する摺動係止具を摺動可能に挿通し、該引き紐の先端部にペットの首輪又は胴輪に連結可能な第１フックを結着すると共に、該引き紐の後端部に第２フックを結着し、前記摺動係止具に該第２フックが係止可能な係止孔を有し、前記摺動係止具は板状体よりなり、該板状体に、引き紐を下方から上方に挿通する第１挿通孔と、挿通した該引き紐を上方から下方に挿通する第２挿通孔と前記係止孔を順次形成すると共に、前記引き紐を帯状体に形成し、前記第１挿通孔の巾寸法は該帯状体の巾寸法と同等又は少許大に、奥行寸法は該帯状体の厚み寸法と同等又は少許大に形成し、前記係止孔は前記第２フックと前記引き紐が挿通可能な大きさに形成したことを特徴とするペットの引き紐。
【請求項３】
前記引き紐を帯状体に形成し、該帯状体の少なくとも一方の面に横縞状に凹凸を形成し、前記摺動係止具における第１挿通孔と第２挿通孔の間の梁部の角部が前記凹凸の凹部を係合可能に形成したことを特徴とする請求項２に記載のペットの引き紐。
【発明の詳細な説明】
【０００１】
【発明の属する技術分野】
本発明は犬等のペットの引き紐に関する。
【０００２】
【従来の技術】
従来この種の引き紐として、ペットの首輪又は胴輪等に連結して使用する引き紐の該把持部を輪状に形成すると共に、該把持部を摺動係止具により伸縮可能に形成し、係止突部と該係止突部が係脱可能な受部とからなる離脱可能な連結具を前記把持部に介在させると共に前記摺動係止具にこれら係止突部又は受部の根部を一体に形成したものが知られている。
【０００３】
【発明が解決しようとする課題】
この従来の引き紐は輪状の把持部の長さを伸縮するための摺動係止具に一体化した係止突部又は受部の構造が複雑である問題があった。
【０００４】
本発明はこの問題点を解消し、摺動係止具の形状が簡単で丈夫なペットの引き紐を提供することを目的とする。
【０００５】
【課題を解決するための手段】
本発明は上記の目的を達成すべく１本の引き紐の中間部分に所定形状の挿通孔を有する摺動係止具を摺動可能に挿通し、該引き紐の先端部にペットの首輪又は胴輪に連結可能な第１フックを結着すると共に、該引き紐の後端部に第２フックを結着し、前記摺動係止具に該第２フックが係止可能な係止孔を有し、前記摺動係止具と前記第１フック又は前記第２フックとの間の前記引き紐に環状体を結着し、該環状体は前記フック及び前記引き紐が挿通可能で且つ前記摺動係止具が係止可能の形状に形成されていることを特徴とする。
【０００６】
【発明の実施の形態】
本発明の第１の実施の形態を図１乃至図３により説明する。
【０００７】
１は本発明の第１の実施の形態であるペットの引き紐を示し、該ペットの引き紐１は１本の帯状体２よりなり、該帯状体２は例えばナイロン糸を織って帯状に形成されていると共に、少なくともその１面は横縞状に凹凸部２ａが形成されている。
【０００８】
尚、両面に横縞の凹凸が形成されていると凹凸のある面を区別することなく製作を容易にすることができる。
【０００９】
該帯状体２は先端部にペットの首輪や胴輪に係止するための第１フック３が結着され、後端部に第２フック４が結着されている。
【００１０】
又、帯状体２の中間部分には、摺動可能に摺動係止具５が挿通され、該摺動係止具５には前記第２フック４が係止可能な係止孔６が一体に設けられている。
【００１１】
該摺動係止具５は図２に示す如く３ミリメートル前後の厚みのあるアルミニウムや黄銅の金属製又は丈夫な合成樹脂製の方形板状体５ｄに形成され、該板状体５ｄに前記帯状体２の断面形状とほぼ同じ寸法の第１挿通孔５ａと該帯状体２の断面形状のほぼ２倍の厚み寸法の第２挿通孔５ｂとが設けられ、更に該板状体５ｄから突状部５ｅを突出して該突状部５ｅに前記第２フック４を係止するための係止孔６が形成されている。
【００１２】
図１に示す如く、前記帯状体２は前記摺動係止具５の第１挿通孔５ａの下方から上方へ挿通すると共に第２挿通孔５ｂの上方から下方に挿通しこれら第１挿通孔５ａと第２挿通孔５ｂとの中間の梁部５ｃを被う様に係合している。
【００１３】
そして帯状体２の後端部に第２フック４を結着し、該第２フック４を前記摺動係止具５の係止孔６に係止すると図３に示す如く該帯状体２の一部は輪状となり、該輪状の帯状体２の部分が該引き紐１の把持部７となる。
【００１４】
次に、上記の第１の実施の形態であるペットの引き紐１の使用方法を図面により説明する。
【００１５】
先ず、引き紐１の先端の第１フック３をペットの首輪や胴輪の係止環に係止し、次に後端の第２フック４を摺動係止具５に設けた係止孔６に係止して輪状の把持部７を形成する。そして把持部７の長さを小型犬なら手が入る位に、又、大型犬なら肩に掛けられる様に摺動係止具５の第１挿通孔５ａと第２挿通孔５ｂの個所において帯状体２の一方側を押し込んで図３の点線の状態の如く該帯状体２を突出した状態にしてから該帯状体２の他方側を引張ることを繰り返して把持部７の長さを調節する。
【００１６】
もし、引き紐１に力が掛かると、図３に示す様に摺動係止具５に挿通した帯状体２は第１挿通孔５ａと第２挿通孔５ｂの個所で図で一方に引っ張られるが、該帯状体２に形成されている横縞状の凹凸部２ａの凹んだ個所に摺動係止具５の梁部５ｃの特に第１挿通孔５ａ側の角の部分が係合し、該摺動係止具５に挿通している帯状体２が全く滑ることなく、従って輪状の把持部７の長さは変化せず、当初の輪状を維持することができる。
【００１７】
もし、摺動係止具５において帯状体２が滑ると把持部７の輪状が縮小して体を締め付けてしまうことになるが、上記の如く第１挿通孔５ａ側の梁部５ｃの角の部分のみで充分に滑り防止をすることができるので、第２挿通孔５ｂの孔形状は長さ調節を容易にするために大きくしている。
【００１８】
更に、ペットの散歩時に、第２フック４を外して立木や柵に把持部７を巻き回してから係止して、ペットを立木などに係留させることができる。
【００１９】
この様に１本の帯状体と２つのフックと３つの孔だけの摺動係止具とによる簡単な構成の引き紐により製作コストを低くすることができる。又、簡単な構造の摺動係止具は引き紐に力が掛っても破損せず長期間使用することができる。
【００２０】
更に、従来の引き紐の輪状の把持部を係脱可能にする連結具は合成樹脂製の複雑な構造であったが、本発明の引き紐では簡単な係止孔６と頑丈な第２フック４とにより丈夫な係脱可能な連結具とすることができる。
【００２１】
次に本発明の第２の実施の形態を図４により説明する。
【００２２】
１１は本発明の第２の実施の形態であるペットの引き紐を示し、該ペットの引き紐１１は第１の実施の形態のペットの引き紐１と同様にナイロン糸を織った横縞状に凹凸部２ａがある１本の帯状体１２よりなり、該帯状体１２の中間部分に摺動係止具５を挿通している。
【００２３】
そして引き紐の先端部側の帯状体１２の一部を第１フック３部分より第２フック４が結着されている後端部側に所定長折り返すと共に該第１フック３をこの織り返し個所１２ｃで結着し、織り返した所定長の短尺側の帯状体１２ｂの端部１２ｄに環状体１３を結着し、又該環状体１３は、長尺側の長尺帯状体１２ａが挿通されていると共に、該短尺帯状体１２ｂの端部１２ｄに該長尺帯状体１２ａと共に溶着又は縫着して結着されている。
【００２４】
更に、該環状体１３は前記第２フック４とこれに結着されている帯状体１２ａが挿通可能の大きさに形成されている。
【００２５】
次に本発明の第２の実施の形態の引き紐１１の第１の使用方法として、図４の状態の引き紐１１の環状体１３に第２フック４とこれに結着の帯状体１２ａを挿通して、図５に示す如く、該環状体１３の個所に前記摺動係止具５を当接係止する。かくて大きな輪状の把持部１４が形成されると共に第１フック３と第２フック４とをそれぞれ有する左右に分かれた引き紐部が形成され、これらフック３、４に別々のペットの首輪又は胴輪を係止して、前記把持部１４を手に持ち、２頭のペットを同時に散歩させることができる。
【００２６】
又、環状体１３から第１フック３迄の長さは所定長であるが、第２フック４迄の長さは前記摺動係止具５の個所で帯状体を摺動させて長さの調整をすることができて、同じ長さにしたり、第２フック４の長さをより長くすることもできる。
【００２７】
更に、２頭のペットの散歩には２本の引き紐を用いているのが一般的であるが、該引き紐１１では環状体１３から分かれた第１フック３と第２フック４迄の引き紐部の長さが比較的短いので、２頭のペットが大きく離れたり、又、引き紐同志がからみ合ったりすることがなく、１本の引き紐だけで２頭のペットを並んで散歩させることができる。
【００２８】
次に第２の使用方法として、図６に示す如く、第２フック４を環状体１３に係止すると、大きな輪状の肩掛部１５となり、又、第１フック３の個所で折り返した短尺帯状体１２ｂと長尺帯状体１２ａとの間に形成される帯状体の二重部分は引き紐の補助把持部１６として使用できる様に形成されており、ペットを散歩させる時に、前記肩掛部１５を肩に掛け、補助把持部１６を片手で持って引くことにより、力のある大型犬も散歩させることができる。
【００２９】
尚、図示しないが、第２フック４を摺動係止具５の係止孔６に係止することにより、前記第１の実施の形態の引き紐１と同様の使い方ができる。
【００３０】
又、前記摺動係止具５の係止孔６を第２フック４と長尺帯状体１２ａが挿通可能な大きさに形成し、これら第２フック４と長尺帯状体１２ａを前記係止孔６に挿通してから該第２フック４を環状体１３に係止することにより、長尺帯状体１２ａが係止孔６の前後において把持部を形成され、犬の散歩等において引き紐の把持の個所を選択して引き紐の長さの加減が可能となる。
【００３１】
尚、前記の実施の形態のいずれにおいても、引き紐１が帯状体２の例を示したが、引き紐１を断面略円形の例えば組紐の如き丸状組により形成し、しかも前記摺動係止具５の第１挿通孔５ａ及び第２挿通孔５ｂを前記丸状紐が挿通可能な大きさの円形等に形成すると共に、前記丸状紐の外周の凹凸状の凹んだ個所に摺動係止具５の梁部５ｃの特に第１挿通孔５ａ側の角の部分が係合するようにしてもよい。
【００３２】
【発明の効果】
このように本発明によると、１本の帯状体と２つのフックと３つの孔の摺動係止具との簡単な構成の引き紐により製作コストを低くでき、又、板状体に３つの孔が設けられている簡単な構造の丈夫な摺動係止具は引き紐に力が掛っても破損せず長期間使用でき、更に、引き紐の断面形状とほぼ同じ寸法の挿通孔を有する摺動係止具と横縞状の凹凸部を有する引き紐により該引き紐に力が掛っても引き紐が引っ掛って滑らず把持部の当初の輪状の長さを維持することができる効果を有する。
【図面の簡単な説明】
【図１】本発明の第１の実施の形態の引き紐の斜視図である。
【図２】摺動係止具の斜視図である。
【図３】使用時の断面側面図である。
【図４】本発明の第２の実施の形態の引き紐の斜視図である。
【図５】その第１の使用方法を示す斜視図である。
【図６】第２の使用方法を示す斜視図である。
【符号の説明】
１          引き紐
２          帯状体
２ａ        凹凸部
３          第１フック
４          第２フック
５          摺動係止具
５ａ        第１挿入孔
５ｂ        第２挿入孔
６          係止孔
７          把持部
【図１】
0003725450.tif 000002
【図２】
0003725450.tif 000003
【図３】
0003725450.tif 000004
【図４】
0003725450.tif 000005
【図５】
0003725450.tif 000006
【図６】
0003725450.tif 000007